(57)【要約】【課題】貯氷式飲料冷却装置において、多数の氷が互いに接着した状態で連結して冷却槽内に局所的に残らないようにする。【解決手段】貯氷式飲料冷却装置１０は、上面に氷の投入口となる開口部１２ａを有して多数の氷を貯える冷却槽１２と、冷却槽１２の上面の開口部１２ａを開閉自在に閉じる蓋体１３と、冷却槽１２内に設けた飲料を冷却する飲料冷却管２０とを備え、飲料冷却管２０を通過する飲料を冷却槽１２内の多数の氷と熱交換することによって冷却するものであり、蓋体１３には冷却槽１２内に貯えた多数の氷を撹拌する氷撹拌器３０を設けた。【選択図】図１
2017095154.tif 000002
【特許請求の範囲】
【請求項１】
上面に氷の投入口となる開口部を有して多数の氷を貯える冷却槽と、
前記冷却槽の上面の開口部を開閉自在に閉じる蓋体と、
前記冷却槽内に設けた飲料を冷却する飲料冷却管とを備え、
前記飲料冷却管を通過する飲料を前記冷却槽内の多数の氷と熱交換することによって冷却する貯氷式飲料冷却装置であって、
前記蓋体には前記冷却槽内に貯えた多数の氷を撹拌する氷撹拌器を設けたことを特徴とする貯氷式飲料冷却装置。
【請求項２】
請求項１に記載の貯氷式飲料冷却装置において、
前記氷撹拌器は前記冷却槽内に垂下する撹拌棒部と、前記撹拌棒部から交差する方向に延びる撹拌腕部とを備えたことを特徴とする貯氷式飲料冷却装置。
【請求項３】
請求項２に記載の貯標式飲料冷却装置において、
前記撹拌腕部は前記撹拌棒部の下端部に設けた第１撹拌腕部と、前記撹拌棒部の上下方向の中間部に設けた第２撹拌腕部とを備えたことを特徴とする貯氷式飲料冷却装置。
【請求項４】
請求項２または３に記載の貯標式飲料冷却装置において、
前記撹拌腕部は前記撹拌棒部から斜め上方に延出するようにしたことを特徴とする貯氷式飲料冷却装置。
【請求項５】
請求項２〜４の何れか１項に記載の貯氷式飲料冷却装置において、
前記撹拌棒部は前記蓋体に回動可能に支持され、前記撹拌棒部の上端部には前記蓋体の上側に前記撹拌棒部を回動させるハンドル部を設けたことを特徴とする貯氷式飲料冷却装置。
【請求項６】
請求項２〜４の何れか１項に記載の貯氷式飲料冷却装置において、
前記撹拌棒部は前記蓋体に上下動可能に支持され、前記撹拌棒部の上端部には前記蓋体の上側に前記撹拌棒部を上下動させるハンドル部を設けたことを特徴とする貯氷式飲料冷却装置。
【請求項７】
請求項２〜６の何れか１項に記載の貯氷式飲料冷却装置において、
前記蓋体は前記冷却槽の上部に水平軸線回りに回動可能に取り付けられ、前記蓋体を前記冷却槽の上部にて水平軸線回りに回動させたときに、前記氷撹拌器が前記冷却槽及び前記飲料冷却管に接触しないように、前記撹拌棒部の上下方向の中間部を屈曲可能としたことを特徴とする貯氷式飲料冷却装置。
【発明の詳細な説明】
【技術分野】
【０００１】
本発明は、冷却槽内に貯えた氷によって飲料冷却管を通過する飲料を冷却するようにした貯氷式飲料冷却装置に関する。
【背景技術】
【０００２】
特許文献１には、多数のブロック形氷を貯える冷却槽と、冷却槽内に立設した飲料を冷却するコイル状の飲料冷却管とを備えた貯氷式飲料冷却装置が開示されている。この貯氷式飲料冷却装置の飲料冷却管は、上部の飲料導入部がビア樽等の飲料の供給源に接続され、下部の飲料導出部が注出コックに接続されている。ビア樽等の飲料の供給源から飲料冷却管の上部に導入された飲料は、飲料冷却管を通過する際に冷却槽内のブロック形氷と熱交換することによって冷却され、飲料冷却管の下部から注出コックに導かれてグラス等の容器に注出される。
【先行技術文献】
【特許文献】
【０００３】
【特許文献１】特開２００２−２５５２８７号公報
【発明の概要】
【発明が解決しようとする課題】
【０００４】
上記のように構成した貯氷式飲料冷却装置を外気温が低い場所に設置したときには、飲料の注出回数が少ないときに、冷却槽内に投入した多数のブロック形氷が互いに連結するように接着し、連結した多数のブロック形氷が冷却槽内の上部にてコイル状の飲料冷却管の上部に引っ掛かって冷却槽の下部に落下しないことがあった。多数のブロック形氷が冷却槽の上部にてコイル状の飲料冷却管の上部に引っ掛かっていると、コイル状の飲料冷却管の上部より下側が冷却されにくくなるとともに、冷却槽内にブロック形氷が十分に残っていると勘違いする問題があった。本発明は、貯氷式飲料冷却装置において、多数の氷が互いに接着した状態で連結して冷却槽内に局所的に固まって残らないようにすることを目的とする。
【課題を解決するための手段】
【０００５】
本発明は上記課題を解決するため、上面に氷の投入口となる開口部を有して多数の氷を貯える冷却槽と、冷却槽の上面の開口部を開閉自在に閉じる蓋体と、冷却槽内に設けた飲料を冷却する飲料冷却管とを備え、飲料冷却管を通過する飲料を冷却槽内の多数の氷と熱交換することによって冷却する貯氷式飲料冷却装置であって、蓋体には冷却槽内に貯えた多数の氷を撹拌する氷撹拌器を設けたことを特徴とする貯氷式飲料冷却装置を提供するものである。
【０００６】
上記のような貯氷式飲料冷却装置においては、蓋体には冷却槽内に貯えた多数の氷を撹拌する氷撹拌器を設けたので、多数の氷が互いに接着した状態で連結して冷却槽内に局所的に残るようになっても、連結した多数の氷は氷撹拌器の撹拌によって剥離するようになり、多数の氷を冷却槽内に局所的に固まって残らないようにすることができた。
【０００７】
上記のような貯氷式飲料冷却装置においては、氷撹拌器は冷却槽内に垂下する撹拌棒部と、撹拌棒部から交差する方向に延びる撹拌腕部とを備えるのが好ましい。このようにしたときには、撹拌腕部は撹拌棒部の上下動または回動によって冷却槽内を上下動または回動し、冷却槽内にて互いに接着した多数の氷は上下動または回動する撹拌腕部に当たって剥離するようになった。このように構成した貯氷式飲料冷却装置においては、撹拌腕部は撹拌棒部の下端部に設けた第１撹拌腕部と、撹拌棒部の上下方向の中間部に設けた第２撹拌腕部とを備えるのがこのましい。このようにしたときには、冷却槽内にて上下方向に広い範囲で多数の氷が接着して連結しても、連結した多数の氷は上下動または回動する第１撹拌腕部及び第２撹拌腕部に当たって剥離するようになり、多数の氷を冷却槽内の下部に落下させることができた。
【０００８】
上記のような貯氷式飲料冷却装置においては、撹拌腕部は撹拌棒部から斜め上方に延出するようにするのが好ましい。このようにしたときには、氷撹拌器を冷却槽内の多数の氷に差し込むときに、撹拌腕部を多数の氷に差し込みやすくすることができた。
【０００９】
上記のような貯氷式飲料冷却装置においては、撹拌棒部は蓋体に回動可能に支持され、撹拌棒部の上端部には蓋体の上側に撹拌棒部を回動させるハンドル部を設けるのが好ましい。このようにしたときには、ハンドル部を抓んで撹拌棒部を回動させることで、蓋体を開けることなく撹拌腕部を冷却槽内にて回動させることができ、冷却槽内にて接着した多数の氷を剥離させる作業が容易となった。
【００１０】
上記のような貯氷式飲料冷却装置においては、撹拌棒部は蓋体に上下動可能に支持され、撹拌棒部の上端部には蓋体の上側に撹拌棒部を上下動させるハンドル部を設けるのがこのましい。このようにしたときには、ハンドル部を抓んで撹拌棒部を上下動させることで、蓋体を開けることなく撹拌腕部を冷却槽内にて上下動させることができ、冷却槽内にて接着した多数の氷を互いに剥離させる作業が容易となった。
【００１１】
上記のような貯氷式飲料冷却装置においては、蓋体は冷却槽の上部に水平軸線回りに回動可能に取り付けられ、蓋体を冷却槽の上部にて水平軸線回りに回動させたときに、氷撹拌器が冷却槽及び飲料冷却管に接触しないように、撹拌棒部の上下方向の中間部を屈曲可能とするのが好ましい。このようにしたときには、蓋体を冷却槽に回動させて上面の開口部を開閉するときに、氷撹拌器の撹拌棒部が屈曲することで、氷撹拌器が冷却槽と飲料冷却管に接触せずに多数の氷内に差し込むことが可能となるとともに、または、氷撹拌器を冷却槽と飲料冷却管に接触せずに多数の氷内から引き出すことが可能となる。また、撹拌棒部が屈曲できないものと比して、撹拌棒部の下端を冷却槽の下部まで導くことができ、氷撹拌器により撹拌できる範囲を広くすることができた。
【図面の簡単な説明】
【００１２】
【図１】本発明の貯氷式飲料冷却装置の概略図（ａ）と、Ａ−Ａ断面図（ｂ）である。
【図２】第１変形例の氷撹拌器を用いた貯氷式飲料冷却装置の概略図である。
【図３】第２変形例の氷撹拌器を用いた貯氷式飲料冷却装置の概略図である。
【図４】第３変形例の氷撹拌器を用いた貯氷式飲料冷却装置の概略図であり、蓋体を閉止した状態の概略図（ａ）と、蓋体を回動させて開放させた状態の概略図（ｂ）である。
【発明を実施するための形態】
【００１３】
以下に、本発明による貯氷式飲料冷却装置の一実施形態を図面を参照して説明する。本発明の貯氷式飲料冷却装置（貯氷式飲料ディスペンサ）１０は、電源のない場所でも設置可能なものであり、例えばブロック形氷（キューブアイス）を用いて飲料を冷却するものである。図１に示したように、本発明の貯氷式飲料冷却装置１０はハウジング１１内に多数のブロック形氷（氷）を貯える冷却槽１２を備えている。冷却槽１２はハウジング１１内にて断熱材に覆われている。冷却槽１２は上面にブロック形氷の投入口となる開口部１２ａを有しており、冷却槽１２の上部には上面の開口部１２ａを開閉自在に閉じる蓋体１３が設けられている。蓋体１３は冷却槽１２の上部に着脱可能に取り付けられ、冷却槽１２の上面の開口部１２ａを開閉自在に覆っている。
【００１４】
ハウジング１１の前面上部には注出コック１４が設けられ、ハウジング１１の前面下部にはドレンパン１５が設けられている。注出コック１４はレバー１４ａを傾動操作することでノズル１４ｂから飲料を注ぎ出すものである。ドレンパン１５は注出コック１４の下側にて注出コック１４から注ぎ出される飲料を受けるグラス等の容器を載置するのに用いるとともに、グラス等の容器から溢れ出た飲料を受けるのに用いられる。冷却槽１２の底面には排水口１２ｂが形成されており、排水口１２ｂには排水管１６が接続されている。排水管１６の先端部はハウジング１１の前面下部にてドレンパン１５の下側に導出されており、排水管１６の先端部はキャップ体１７によって開閉自在に塞がれている。
【００１５】
冷却槽１２内には飲料を冷却する飲料冷却管２０が設けられており、飲料冷却管２０はコイル状に巻回された状態で冷却槽１２内に立設している。飲料冷却管２０は下部の導入部が飲料樽（飲料の供給源）Ｔに飲料供給管２１を介して接続され、飲料冷却管２０の上部の導出部はハウジング１１の前面上部の注出コック１４に接続されている。飲料樽Ｔは炭酸ガスを充填したガスボンベＧに接続されており、飲料樽Ｔ内の飲料はガスボンベＧから圧送される炭酸ガスの圧力によって飲料冷却管２０に送り出される。飲料樽Ｔから飲料冷却管２０に送り出された飲料は、下部の導入部から飲料冷却管２０の螺旋を上昇し、上部の導出部から注出コック１４に導かれる。飲料冷却管２０を通過する飲料は冷却槽１２内のブロック形氷と熱交換することで冷却される。
【００１６】
図１に示したように、蓋体１３には冷却槽１２内に貯えた多数のブロック形氷を撹拌する氷撹拌器３０が取り付けられている。氷撹拌器３０は、冷却槽１２内にてコイル状の飲料冷却管２０の内側の中央部に垂下する撹拌棒部３１と、撹拌棒部３１から交差する方向に延びる撹拌腕部３２とを備えている。撹拌棒部３１の上部にはフランジ部３１ａが設けられており、フランジ部３１ａは蓋体１３の下面の中央部に固定されている。図１（ｂ）に示したように、撹拌棒部３１の下端部には４つの撹拌腕部３２が固定されており、これら撹拌腕部３２は撹拌棒部３１の周方向に等間隔に配置されている。撹拌腕部３２は撹拌棒部３１の下端部から斜め上方に延びており、撹拌腕部３２は撹拌棒部３１から下側に４５°の角度（水平方向から上側に４５°の角度）で傾斜している。なお、撹拌腕部３２はこの実施形態では撹拌棒部３１の下端部に４つ設けたが、本発明はこれに限られるものでなく、撹拌棒部３１の下端部または上下方向の中間部に１つ以上（例えば、２つ、３つ・・・であってもよい）の撹拌腕部３２を設けたものであってもよい。
【００１７】
次に、貯氷式飲料冷却装置１０による飲料の冷却について説明する。貯氷式飲料冷却装置１０を使用するときには、冷却槽１２の上部から蓋体１３を取り外して冷却槽１２の上面の開口部１２ａを開放し、冷却槽１２の上面の開口部１２ａから内部にブロック形氷を投入し、冷却槽１２の上面の開口部１２ａを蓋体１３によって再び閉じる。この状態で、注出コック１４のレバー１４ａを傾動すると、飲料樽Ｔ内の飲料が炭酸ガスの圧力によって飲料供給管２１を通って飲料冷却管２０の下部の導入部から導入され、コイル状の飲料冷却管２０を上昇して上部の導出部から注出コック１４に導出され、注出コック１４のノズル１４ｂからグラスなどの容器に注出される。飲料冷却管２０を通過する飲料は冷却槽１２内にてブロック形氷と熱交換することによって冷却される。
【００１８】
この貯氷式飲料冷却装置１０を外気温が低い場所に設置したときには、注出コック１４からの飲料の注出回数が少ないときに、冷却槽１２内に投入した多数のブロック形氷が互いに接着して連結し、連結したブロック形氷が冷却槽１２の上部にてコイル状の飲料冷却管２０の上部に引っ掛かって冷却槽１２の下部に落下しないことがあった。この状態で、注出コック１４のレバー１４ｂを傾動させて、飲料樽Ｔから送り出される飲料を飲料冷却管２０を通過させても、飲料冷却管２０を通過する飲料はコイル状に巻回された上部でしか冷却されず、飲料を十分に冷却できないおそれがあった。
【００１９】
この貯氷式飲料冷却装置１０では、蓋体１３には冷却槽１２内に貯えた多数のブロック形氷を撹拌する氷撹拌器３０を設けた。この実施形態の氷撹拌器３０は、冷却槽１２内にてコイル状の飲料冷却管２０の内側に垂下する撹拌棒部３１と、撹拌棒部３１の下端部から交差する方向に延びる撹拌腕部３２とを備えている。蓋体１３を上側に持ち上げたり、蓋体１３を冷却槽１２の上側で少し持ち上げた状態で鉛直軸線回りに回動させると、撹拌腕部３２は冷却槽１２内で上下動または回動し、冷却槽１２内にて互いに接着して連結した多数のブロック形氷は上下動または回動する撹拌腕部３２に当たって撹拌されて剥離するようになり、冷却槽１２内の上部に引っ掛かって残る（冷却槽１２内に局所的に残る）ブロック形氷を冷却槽１２内の下部に落下させることができるようになった。
【００２０】
また、撹拌腕部３２は撹拌棒部３１の下端部から斜め上方に延出させている。これにより、蓋体１３を冷却槽１２の上面の開口部１２ａに取り付けて、氷撹拌器３０の撹拌棒部３１及び撹拌腕部３２を冷却槽１２内の多数のブロック形氷に差し込むときに、撹拌腕部３２が多数のブロック形氷に引っ掛かりにくくなり、撹拌腕部３２を多数のブロック形氷の中に差し込みやすくすることができた。なお、撹拌腕部３２は撹拌棒部３１から下側に４５°の角度（水平方向から上側に４５°の角度）で傾斜させたが、本発明はこれに限られるものでなく、撹拌棒部３１から斜め上方に延出させていれば（例えば、撹拌棒部３１から下側に３０°、６０°等の角度（水平方向から上側に６０°、３０°等の角度））、上述した作用効果を得ることができる。
【００２１】
次に、氷撹拌器３０の種々の変形例について説明する。図２に示した第１変形例の氷撹拌器３０は、冷却槽１２内にてコイル状の飲料冷却管２０の内側の中央部に垂下する撹拌棒部３１と、撹拌棒部３１から交差する方向に延びる撹拌腕部３２とを備えている。撹拌腕部３２は、撹拌棒部３１の下端部に４つの第１撹拌腕部３２ａと、撹拌棒部３１の上下方向の中間部に４つの第２撹拌腕部３２ｂとを備えている。これら第１撹拌腕部３２ａは上記の実施形態と同様に撹拌棒部３１の周方向に等間隔に配置されており、第２撹拌腕部３２ｂは上記の実施形態と同様に撹拌棒部３１の周方向に等間隔に配置されている。第１及び第２撹拌腕部３２ａ，３２ｂは撹拌棒部３１の下端部及び上下方向の中間部から斜め上方に延びており、第１及び第２撹拌腕部３２は撹拌棒部３１から下側に４５°の角度（水平方向から上側に４５°の角度）で傾斜している。これ以外については上述した実施形態と同様である。
【００２２】
このように構成した第１変形例の氷撹拌器３０を採用した貯氷式飲料冷却装置１０でも上述した実施形態の作用効果を得ることができるとともに、冷却槽１２内にて上下方向に広い範囲で多数の氷が接着して連結しても、連結した多数の氷は上下動または回動する第１撹拌腕部３２ａ及び第２撹拌腕部３２ｂに当たって撹拌されて剥離するようになり、冷却槽１２内の上部及び中間部に引っ掛かって残る（冷却槽１２内に局所的に残る）ブロック形氷を冷却槽１２内の下部に落下させることができるようになった。
【００２３】
図３に示した第２変形例の氷撹拌器３０は、冷却槽１２内にてコイル状の飲料冷却管２０内側の中央部に垂下する撹拌棒部３１と、撹拌棒部３１から交差する方向に延びる撹拌腕部３２とを備えている。この第２変形例の氷撹拌器３０においては、撹拌棒部３１は蓋体１３の中央部に設けた貫通孔１３ａに摺動自在に挿通され、蓋体１３に回動可能かつ上下動可能に支持されている。また、撹拌棒部３１の上端部には蓋体１３の上側に撹拌棒部３１を回動と上下動させるハンドル３３が設けられている。また、撹拌棒部３１の上下方向の中間部より上側にはストッパ３４が設けられており、ストッパ３４は撹拌棒部３１が不必要に上側に移動しないように規制し、撹拌腕部３２が蓋体１３に接触するのを防いでいる。
【００２４】
このように構成した第２変形例の氷撹拌器３０を採用した貯氷式飲料冷却装置１０においては、蓋体１３の上側でハンドル３３を抓んで撹拌棒部３１を回動させる、及び／または、上下動（撹拌棒部３１を上動させた状態を図３の１点鎖線にて示している）させることで、蓋体１３を開けることなく撹拌腕部３２を冷却槽１２内にて回動、及び／または、上下動させることができ、冷却槽１２内にて互いに接着した多数の氷は回動、及び／または、上下動する撹拌腕部３２に当たって撹拌されて剥離するようになり、冷却槽１２内の上部に引っ掛かって残る（冷却槽１２内に局所的に残る）ブロック形氷を冷却槽１２内の下部に落下させることができるようになった。
【００２５】
また、飲料を集中的に注出するときのように短時間で大量の飲料を注出するときには、飲料冷却管２０内の飲料を氷との熱交換によって十分に冷却できないときがあるが、撹拌腕部３２を冷却槽１２内にて回動、及び／または、上下動させることにより、飲料冷却管２０内の飲料を積極的に氷と接触させることで熱交換させることができ、短時間で大量の飲料を注出するときにも、飲料冷却管２０内の飲料を十分に冷却することができるようになった。
【００２６】
なお、この第２変形例の氷撹拌器３０でも、撹拌腕部３２の数及び角度は上記の実施形態と同様に１つ以上で斜め上方に傾斜したものであるのが好ましいとともに、上記の第１変形例の氷撹拌器３０と同様に撹拌棒部３１に第１及び第２撹拌腕部３２ａ，３２ｂを固定したものであってもよい。また、この第２変形例の氷撹拌器３０では、撹拌棒部３１は蓋体１３に回動可能かつ上下動可能に支持されているが、本発明はこれに限られるものでなく、撹拌棒部３１を蓋体１３に回動可能または上下動可能に支持させたものであってもよく、このようにしたときにも、効果はある程度低下するかもしれないが上述した作用効果を得ることができる。
【００２７】
図４に示した第３変形例の氷撹拌器３０を採用した貯氷式飲料冷却装置１０では、蓋体１３はハウジング１１の後側上部に設けたヒンジ１８によって水平軸線回りに回動可能に支持され、冷却槽１２の上部に水平軸線回りに回動可能に取り付けられている。冷却槽１２の上面の開口部１２ａを開放するときには、図４（ｂ）に示したように、蓋体１３の前部を持ち上げて、蓋体１３を冷却槽１２の後側上部で水平軸線回りに回動させるようにする。第３変形例の氷撹拌器３０は、蓋体１３を冷却槽１２の後側上部に水平軸線回りに回動可能に取り付けたことにより、撹拌棒部３１を上下方向の中間部で屈曲可能としたものである。撹拌棒部３１は、上側の第１撹拌棒部３１ｂと、下側の第２撹拌棒部３１ｃとを備え、第２撹拌棒部３１ｃは連結軸３１ｄによって第１撹拌棒部３１ｂに前後に回動可能に連結されている。なお、第２撹拌棒部３１ｃは第１撹拌棒部３１ｂに対して９０°以上に回動しないように規制されている。
【００２８】
このように構成した第３変形例の氷撹拌器３０を採用した貯氷式飲料冷却装置１０では、蓋体１３の前部を持ち上げて、蓋体１３を冷却槽１２の後側上部で水平軸線回りに回動させて冷却槽１２の開口部１２ａを開放したときには、撹拌棒部３１が屈曲しながら上側に持ち上げられる。このとき、冷却槽１２内にて互いに接着した多数の氷は上動する撹拌腕部３２に当たって撹拌されて剥離するようになり、冷却槽１２内の上部に引っ掛かって残る（冷却槽１２内に局所的に残る）ブロック形氷を冷却槽１２内の下部に落下させることができるようになった。また、蓋体１３の前部を下げて、蓋体１３を冷却槽１２の後側上部で水平軸線回りに回動させて冷却槽１２の開口部１２ａを閉止したときには、撹拌棒部３１が屈曲しながら冷却槽１２内に差し込まれる。このとき、冷却槽１２内にて互いに接着した多数の氷は下動する撹拌腕部３２に当たって撹拌されて剥離するようになり、冷却槽１２内の上部に引っ掛かって残る（冷却槽１２内に局所的に残る）ブロック形氷を冷却槽１２内の下部に落下させることができるようになった。このように、撹拌棒部３１は第１及び第２撹拌棒部３１ｂ，３１ｃによって屈曲可能としたことで、蓋体１３を水平軸線回りに回動させたときに、撹拌棒部３１の第２撹拌棒部３１ｃが第１撹拌棒部３１ｂに対して回動して、撹拌棒部３１の下端部の撹拌腕部３２が冷却槽１２及びコイル状の飲料冷却管２０に接触せずに多数のブロック形氷から引き出したり差し込んだりすることができた。また、撹拌棒部が屈曲できないものと比して、撹拌棒部３１の下端を冷却槽１２の下部まで導くことができ、氷撹拌器３０により撹拌できる範囲を広くすることができた。なお、この第３変形例の氷撹拌器３０でも、撹拌腕部３２の数及び角度は上記の実施形態と同様に１つ以上で斜め上方に傾斜したものであるのが好ましいものであるとともに、上記の第１変形例の氷撹拌器３０と同様に撹拌棒部３１に第１及び第２撹拌腕部３２ａ，３２ｂを固定したものであってもよい。
【００２９】
なお、飲料冷却管２０はコイル状に巻回されて、下部の導入部から導入した飲料を上昇させて上部の導出部から導出するものが上記の作用効果を得るのに最も好ましいものであるが、本発明はこれに限られるものでなく、飲料冷却管を例えば一方から他方に蛇行させた蛇行形状であってもよい。
【符号の説明】
【００３０】
１０…貯氷式飲料冷却装置、１２…冷却槽、２０…飲料冷却管、３０…氷撹拌器、３１…撹拌棒部、３２…撹拌腕部、３２ａ…第１撹拌腕部、３２ｂ…第２撹拌腕部。
【図１】
2017095154.tif 000003
【図２】
2017095154.tif 000004
【図３】
2017095154.tif 000005
【図４】
2017095154.tif 000006